Podtech/llm-jp-corpus-v4-ja_patent huggingface dataset:
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
画面をキャプチャすることで生成される画像データごとに設定された貼り付け先であって、文書データに含まれる複数の貼り付け先を記憶する記憶手段を備える情報処理装置であって、
前記記憶手段に記憶された複数の貼り付け先に対して、前記画像データの貼り付け指示を受け付ける貼付指示受付手段と、
前記貼付指示受付手段で受け付けた指示に応じて、前記記憶手段に記憶された複数の貼り付け先に対して、当該複数の貼り付け先ごとに設定された複数の前記画像データを順次貼り付けるよう制御する貼付制御手段と
を備えることを特徴とする情報処理装置。
【請求項２】
前記情報処理装置は、
前記画像データを貼り付ける文書データの選択を受け付ける文書データ選択受付手段と、
前記文書データ選択受付手段で選択を受け付けた文書データに設定された貼り付け先を取得するよう制御する貼り付け先取得制御手段と、
前記貼り付け先取得制御手段で取得した貼り付け先と、前記画像データとを対応づけるためのウィンドウを表示する表示手段と
を更に備えることを特徴とする請求項１に記載の情報処理装置。
【請求項３】
前記情報処理装置は、
前記画面をキャプチャすることで前記画像データを生成するよう制御する画像データ生成制御手段と、
画像データ生成制御手段で生成された画像データを所定の記憶領域に蓄積する画像データ蓄積手段とを更に備え、
前記表示手段は、前記画像データ蓄積手段で蓄積された画像データを前記所定の記憶領域から取得して前記ウィンドウに表示することを特徴とする請求項２に記載の情報処理装置。
【請求項４】
前記貼付制御手段は、前記貼付指示受付手段で受け付けた指示に応じて、前記記憶手段に記憶された複数の貼り付け先に対して、当該複数の貼り付け先ごとに設定された複数の前記画像データを順次貼り付けると共に、当該画像データのサイズを拡大または縮小するよう制御することを特徴とする請求項１乃至３のいずれか１項に記載の情報処理装置。
【請求項５】
前記貼付制御手段は、前記画像データのサイズを画像データごとに指定された拡大率で拡大または縮小するよう制御することを特徴とする請求項４に記載の情報処理装置。
【請求項６】
前記情報処理装置は、
前記画像データの一部を切り取るよう制御する切り取り制御手段を更に備え、
前記貼付制御手段は、前記貼付指示受付手段で受け付けた指示に応じて、前記記憶手段に記憶された複数の貼り付け先に対して、当該複数の貼り付け先ごとに設定された複数の前記画像データであって、前記切り取り制御手段で切り取られた画像データを順次貼り付けるよう制御することを特徴とする請求項１乃至５のいずれか１項に記載の情報処理装置。
【請求項７】
前記情報処理装置は、
前記貼付制御手段で画像データが貼り付けられた貼り付け先に、当該画像データの属性情報を対応づけて登録する属性情報登録手段を更に備えることを特徴とする請求項１乃至６のいずれか１項に記載の情報処理装置。
【請求項８】
前記属性情報は、前記画像データに含まれる被写体に関する情報であることを特徴とする請求項７に記載の情報処理装置。
【請求項９】
画面をキャプチャすることで生成される画像データごとに設定された貼り付け先であって、文書データに含まれる複数の貼り付け先を記憶する記憶手段を備える情報処理装置の制御方法であって、
前記情報処理装置の貼付指示受付手段が、前記記憶手段に記憶された複数の貼り付け先に対して、前記画像データの貼り付け指示を受け付ける貼付指示受付ステップと、
前記情報処理装置の貼付制御手段が、前記貼付指示受付ステップで受け付けた指示に応じて、前記記憶手段に記憶された複数の貼り付け先に対して、当該複数の貼り付け先ごとに設定された複数の前記画像データを順次貼り付けるよう制御する貼付制御ステップと
を備えることを特徴とする情報処理装置の制御方法。
【請求項１０】
画面をキャプチャすることで生成される画像データごとに設定された貼り付け先であって、文書データに含まれる複数の貼り付け先を記憶する記憶手段を備える情報処理装置の制御方法を実行可能なプログラムであって、
前記情報処理装置を、
前記記憶手段に記憶された複数の貼り付け先に対して、前記画像データの貼り付け指示を受け付ける貼付指示受付手段と、
前記貼付指示受付手段で受け付けた指示に応じて、前記記憶手段に記憶された複数の貼り付け先に対して、当該複数の貼り付け先ごとに設定された複数の前記画像データを順次貼り付けるよう制御する貼付制御手段
として機能させることを特徴とするプログラム。
【手続補正２】
【補正対象書類名】明細書
【補正対象項目名】発明の名称
【補正方法】変更
【補正の内容】
【発明の名称】情報処理装置、その制御方法、及びプログラム
【手続補正３】
【補正対象書類名】明細書
【補正対象項目名】０００１
【補正方法】変更
【補正の内容】
【０００１】
本発明は、ＣＡＤプログラムによって作成された設計データから出力した画像データを利用して文書ファイルを作成するための技術に関し、特に出力された複数の画像データを一括で文書ファイルの指定位置に貼り付ける情報処理装置、その制御方法、及びプログラムに関する。
【手続補正４】
【補正対象書類名】明細書
【補正対象項目名】０００８
【補正方法】変更
【補正の内容】
【０００８】
本発明は、画面をキャプチャすることで生成される画像データを、当該画像データごとに設定された貼り付け先に対して一括で貼り付ける仕組みを提供することを目的とする。
【手続補正５】
【補正対象書類名】明細書
【補正対象項目名】０００９
【補正方法】変更
【補正の内容】
【０００９】
上記の目的を達成するために、請求項１に記載の情報処理装置は、画面をキャプチャすることで生成される画像データごとに設定された貼り付け先であって、文書データに含まれる複数の貼り付け先を記憶する記憶手段を備える情報処理装置であって、前記記憶手段に記憶された複数の貼り付け先に対して、前記画像データの貼り付け指示を受け付ける貼付指示受付手段と、前記貼付指示受付手段で受け付けた指示に応じて、前記記憶手段に記憶された複数の貼り付け先に対して、当該複数の貼り付け先ごとに設定された複数の前記画像データを順次貼り付けるよう制御する貼付制御手段とを備えることを特徴とする。
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
リン酸エステルとポリアミド酸のエステル化反応生成物から生成した、リン酸エステルで修飾されたポリイミドを含み、導電性成分を含む、中間転写部材であって、
前記リン酸エステルで修飾されたポリイミドが、（ポリ（ピロメリット酸二無水物／４，４−オキシジアニリン／ノニルフェノールエトキシレートホスフェート）コポリマー、ポリ（ピロメリット酸二無水物／フェニレンジアミン／ノニルフェノールエトキシレートホスフェート）コポリマー、ポリ（ビフェニルテトラカルボン酸二無水物／４，４’−オキシジアニリン／ノニルフェノールエトキシレートホスフェート）コポリマー、ポリ（ビフェニルテトラカルボン酸二無水物／フェニレンジアミン／ノニルフェノールエトキシレートホスフェート）コポリマー、ポリ（ベンゾフェノンテトラカルボン酸二無水物／４，４’−オキシジアニリン／フェニレンジアミン／ノニルフェノールエトキシレートホスフェート）コポリマー、ポリ（ピロメリット酸二無水物／４，４−オキシジアニリン／トリデシルアルコールエトキシレートホスフェート）コポリマー、ポリ（ピロメリット酸二無水物／フェニレンジアミン／トリデシルアルコールエトキシレートホスフェート）コポリマー、ポリ（ビフェニルテトラカルボン酸二無水物／４，４’−オキシジアニリン／トリデシルアルコールエトキシレートホスフェート）コポリマー、ポリ（ビフェニルテトラカルボン酸二無水物／フェニレンジアミン／トリデシルアルコールエトキシレートホスフェート）コポリマー、ポリ（ベンゾフェノンテトラカルボン酸二無水物／４，４’−オキシジアニリン／フェニレンジアミン／トリデシルアルコールエトキシレートホスフェート）コポリマー、ポリ（ピロリメット酸二無水物／４，４’−オキシジアニリン／ポリエチレングリコールトリデシルエーテルホスフェート）コポリマー、ポリ（ピロリメット酸二無水物／フェニレンジアミン／ポリエチレングリコールトリデシルエーテルホスフェート）コポリマー、ポリ（ビフェニルテトラカルボン酸二無水物／４，４’−オキシジアニリン／ポリエチレングリコールトリデシルエーテルホスフェート）コポリマー、ポリ（ビフェニルテトラカルボン酸二無水物／フェニレンジアミン／ポリエチレングリコールトリデシルエーテルホスフェート）コポリマー、ポリ（ベンゾフェノンテトラカルボン酸二無水物／４，４’−オキシジアニリン／フェニレンジアミン／ポリエチレングリコールトリデシルエーテルホスフェート）コポリマー）からなる群より選択される、中間転写部材。
【請求項２】
前記反応中に、前記ポリアミド酸がイミド化し、
前記反応が、前記リン酸エステルおよび前記ポリアミド酸を約２００℃〜約３５０℃の温度に加熱することによって行われ、
前記リン酸エステルで修飾されたポリイミドが、（ポリ（ピロメリット酸二無水物／４，４−オキシジアニリン／ノニルフェノールエトキシレートホスフェート）コポリマー、ポリ（ピロメリット酸二無水物／フェニレンジアミン／ノニルフェノールエトキシレートホスフェート）コポリマー、ポリ（ビフェニルテトラカルボン酸二無水物／４，４’−オキシジアニリン／ノニルフェノールエトキシレートホスフェート）コポリマー、ポリ（ビフェニルテトラカルボン酸二無水物／フェニレンジアミン／ノニルフェノールエトキシレートホスフェート）コポリマー）からなる群より選択され、
前記導電性成分が、カーボンブラックである、請求項１に記載の中間転写部材。
【請求項３】
前記リン酸エステルがノニルフェノールエトキシレートホスフェートであり、
前記導電性成分が、カーボンブラックであり、
前記ポリアミド酸が、ピロメリット酸二無水物／４，４−オキシジアニリンのポリアミド酸、ピロメリット酸二無水物／フェニレンジアミンのポリアミド酸、ビフェニルテトラカルボン酸二無水物／４，４’−オキシジアニリンのポリアミド酸、ビフェニルテトラカルボン酸二無水物／フェニレンジアミンのポリアミド酸、ベンゾフェノンテトラカルボン酸二無水物／４，４’−オキシジアニリン／フェニレンジアミンのポリアミド酸からなる群より選択される、請求項１に記載の中間転写部材。
【請求項４】
前記リン酸エステルが、約０．０１〜約５重量％の量になるように選択され、
前記ポリアミド酸が、約６５〜約９７重量％の量になるように選択され、
前記導電性成分が、約１〜約３０重量％の量で存在し、
これらの合計が約１００％であり、
前記リン酸エステルが、約１８０〜約３２０℃の温度で前記ポリアミド酸と反応する、請求項１に記載の中間転写部材。
【請求項５】
前記リン酸エステルが、約０．１〜約４重量％の量になるように選択され、
前記ポリアミド酸が、約７８〜約９５重量％の量になるように選択され、
前記導電性成分が、約１〜約２０重量％の量になるように選択され、
これらの合計が約１００％であり、
前記リン酸エステルで修飾されたポリイミドが、（ポリ（ピロメリット酸二無水物／４，４’−オキシジアニリン／ノニルフェノールエトキシレートホスフェート）コポリマー、ポリ（ピロメリット酸二無水物／フェニレンジアミン／ノニルフェノールエトキシレートホスフェート）コポリマー、ポリ（ビフェニルテトラカルボン酸二無水物／４，４’−オキシジアニリン／ノニルフェノールエトキシレートホスフェート）コポリマー、ポリ（ビフェニルテトラカルボン酸二無水物／フェニレンジアミン／ノニルフェノールエトキシレートホスフェート）コポリマー）からなる群より選択される、請求項１に記載の中間転写部材。
【請求項６】
前記反応が、約１６０〜約２６０℃の温度で行われる、請求項１に記載の中間転写部材。
【請求項７】
前記ポリアミド酸が、ピロメリット酸二無水物／４，４−オキシジアニリンのポリアミド酸、ピロメリット酸二無水物／フェニレンジアミンのポリアミド酸、ビフェニルテトラカルボン酸二無水物／４，４’−オキシジアニリンのポリアミド酸、ビフェニルテトラカルボン酸二無水物／フェニレンジアミンのポリアミド酸、ベンゾフェノンテトラカルボン酸二無水物／４，４’−オキシジアニリン／フェニレンジアミンのポリアミド酸からなる群より選択され、前記リン酸エステルで修飾されたポリイミドと前記導電性成分の転写部材成分の約７０〜約９７重量％の量になるように選択される、請求項１に記載の中間転写部材。
【請求項８】
前記導電性成分が、カーボンブラックである、請求項１に記載の中間転写部材。
【請求項９】
前記リン酸エステルと前記ポリアミド酸の比が、約０．０１／９９．９ｇ〜約５／９５であるか、または、前記リン酸エステルと前記ポリアミド酸の比が、約０．１／９９．９〜約２／９８である、請求項１に記載の中間転写部材。
【請求項１０】
前記リン酸エステルで修飾されたポリイミドが、ポリ（ピロメリット酸二無水物／４，４−オキシジアニリン／ノニルフェノールエトキシレートホスフェート）コポリマーである、請求項１に記載の中間転写部材。
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
画像形成システムとともに用いるのに適したつなぎ目のないベルトを作成する方法であって、
ポリイミド、リン酸エステルを含む内部剥離剤、溶媒からなる組成物を回転基板の外側表面にフローコーティングすることと；
当該コーティングを約１２５℃〜約１９０℃の温度で約３０〜約９０分かけて部分的に硬化させ、部分的に硬化したベルトを作成することと；
部分的に硬化した前記ベルトを回転基板から自己剥離により取り外すことと；
部分的に硬化した前記ベルトを、２つのローラーの間で約１ｋｇ〜約１０ｋｇの張力により引っ張りながら、約２５０℃〜約３７０℃の温度、約３０〜約９０分間の条件で硬化させることと；
を含む、方法。
【請求項２】
前記組成物が、ポリエステル修飾されたポリジメチルシロキサン、ポリエーテル修飾されたポリジメチルシロキサン、ポリアクリレート修飾されたポリジメチルシロキサン、ポリエステルポリエーテル修飾されたポリジメチルシロキサンからなる群から選択されるポリシロキサンポリマーをさらに含む、請求項１に記載の方法。
【請求項３】
前記リン酸エステルが、アルキルアルコールエトキシレートホスフェート、アルキルフェノールエトキシレートホスフェート、アルキルポリエトキシエタノールホスフェート、アルキルフェノキシポリエトキシエタノールホスフェートからなる群から選択され、前記ポリイミドおよび前記リン酸エステルが、約２０／８０〜約８０／２０の重量比で存在する、請求項１に記載の方法。
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
ポリアミドイミド、リン酸エステル、及び導電性成分の固体混合物から構成される中間転写部材であって、
前記混合物が、その後に基板へ転写するために、ゼログラフィー式トナーを現像した像をその上に含み、
前記トナーを現像した像が、光伝導体により作り出され、
前記リン酸エステルが、アルキルアルコールエトキシレートホスフェートと、アルキルフェノールエトキシレートホスフェートと、アルキルポリエトキシエタノールホスフェートと、アルキルフェノキシポリエトキシエタノールホスフェートと、から成る群より選択され、
前記導電性成分が、カーボンブラック、金属酸化物、又はポリアニリンであり、
前記ポリアミドイミドが、以下の式で表される構造の化合物から成る群より選択され、
【化１】
2012048234.tif 000001
式中、ｎは、約２０〜約１，０００の繰り返しセグメントの数を表し、
前記ポリアミドイミドと、前記導電性成分と、前記リン酸エステルとの比が、８５／１４．９／０．１、９５／４．５／０．５、７９／２０／１、又は７８／１８／４である、中間転写部材。
【請求項２】
前記導電性成分が、カーボンブラックであり、
前記リン酸エステルが、トリデシルアルコールエトキシレートホスフェート、ポリエチレングリコールモノトリデシルエーテルホスフェート、又はノニルフェノールエトキシレートホスフェートであり、
前記ポリアミドイミドの構造を表す式中のｎが、約５０〜約５００である、請求項１に記載の中間転写部材。
【請求項３】
前記ポリアミドイミドの構造を表す式中のｎが、約１５０〜約３７５である、請求項１に記載の中間転写部材。
【請求項４】
ポリアミドイミド、リン酸エステル、及びカーボンブラックの混合物から構成される中間転写ベルトであって、
前記リン酸エステルが、アルキルアルコールエトキシレートホスフェートと、アルキルフェノールエトキシレートホスフェートと、アルキルポリエトキシエタノールホスフェートと、アルキルフェノキシポリエトキシエタノールホスフェートと、から成る群より選択され、約０．１〜約７重量％の量で存在し、
前記ポリアミドイミドが、約６０〜約９７重量％の量で存在し、
前記カーボンブラックが、約３〜約４０重量％の量で存在し、
これらの総量が約１００％であり、
前記混合物が、その後に基板へ転写するために、ゼログラフィー式トナーを現像した像をその上に含み、
前記トナーを現像した像が、光伝導体により作り出される、中間転写ベルト。
【請求項５】
前記ポリアミドイミドが、約８０〜約９５重量％の量で存在し、
前記リン酸エステルが約０．５〜約２重量％の量で存在し、
前記カーボンブラックが、約５〜約２０重量％の量で存在し、
これらの総量が１００％である、請求項４に記載の中間転写ベルト。
【請求項６】
前記ポリアミドイミドと、前記カーボンブラックと、前記リン酸エステルとの比が、８５／１４．９／０．１、９５／４．５／０．５、７９／２０／１、又は７８／１８／４である、請求項４に記載の中間転写ベルト。
【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
剥離装置であって、
媒体シートを輸送するように構成される媒体経路と、
前記媒体シートに接触するように構成される回転部材と、
長手軸に沿ってある長さを有するとともに長手方向の一端に先端を含む剥離爪であって、前記回転部材から前記媒体シートを選択的に剥がすために、前記先端と前記回転部材との接触を選択的に係合しかつ外すように構成された剥離爪と、
前記剥離爪に結合された圧電アクチュエータと、
を備え、
前記圧電アクチュエータは、前記剥離爪の先端と前記回転部材との接触を選択的に実施しかつ外すように構成され、かつ、前記剥離爪の先端が前記回転部材に接触する際の前記剥離爪の先端の前記回転部材に対する圧力を調整するように構成される、剥離装置。
【請求項２】
前記圧電アクチュエータは、前記剥離爪の先端と前記回転部材との接触を選択的に係合しかつ外すために曲がるように構成される、請求項１に記載の剥離装置。
【請求項３】
前記圧電アクチュエータへ結合される電圧源をさらに備え、前記電圧源は、前記剥離爪の先端と前記回転部材との接触を実施するために前記圧電アクチュエータへ第１の電圧を印加するように構成され、かつ、前記剥離爪の先端と前記回転部材との接触を外すために前記圧電アクチュエータへ第２の電圧を印加するように構成される、請求項１に記載の剥離装置。
【請求項４】
前記剥離爪は、前記回転部材から前記媒体シートを剥がすために前記先端と前記回転部材との接触を選択的に実施するように構成され、かつ、前記回転部材へ結合されている媒体シートが存在しなければ前記先端と前記回転部材との接触を外すように構成される、請求項１に記載の剥離装置。
【請求項５】
前記剥離爪は、前記回転部材から第１の重さの媒体シートを剥がすために前記剥離爪の先端と前記回転部材との接触を選択的に実施するように構成され、かつ、第２の重さの媒体シートについては前記剥離爪の先端と前記回転部材との接触を外すように構成され、前記第２の重さは前記第１の重さより重い、請求項１に記載の剥離装置。
【請求項６】
前記第１の重さの媒体シートは第１の厚さを有し、
前記第２の重さの媒体シートは、前記第１の厚さより大きい第２の厚さを有し、かつ、
前記剥離爪は、前記第１の重さの媒体シートについては前記回転部材から前記第１の重さの媒体シートを剥がすために前記剥離爪の先端と前記回転部材との接触を実施するように構成され、かつ、第２の重さの媒体シートについては前記剥離爪の先端と前記回転部材との接触を外すためにある変位距離を移動するように構成され、前記変位距離はほぼ前記第１の厚さと前記第２の厚さとの間である、請求項５に記載の剥離装置。
【請求項７】
媒体経路と、回転部材と、長手軸に沿ってある長さを有するとともに長手方向の一端に先端を含む剥離爪とを含む装置における動作方法であって、
前記媒体シートを前記媒体経路内で輸送することと、
前記媒体シートを前記回転部材に接触させることと、
前記回転部材から前記媒体シートを剥がすために前記剥離爪の先端と前記回転部材との接触を実施することと、
前記剥離爪の先端と前記回転部材との接触を外すことと、
前記剥離爪の先端が前記回転部材に接触する際の前記剥離爪の先端の前記回転部材に対する圧力を調整することと、を含み、
前記装置は、前記剥離爪に結合される圧電アクチュエータを含み、前記圧力は前記圧電アクチュエータを用いて調整され、
前記接触を実施することは、前記回転部材から前記媒体シートを剥がすために、前記圧電アクチュエータを用いて前記剥離爪の先端と前記回転部材との接触を実施することを含み、
前記外すことは、前記圧電アクチュエータを用いて前記剥離爪の先端と前記回転部材との接触を外すことを含む、動作方法。
【請求項８】
請求項７に記載の動作方法であって、
前記装置が、前記圧電アクチュエータに結合される電圧源を備え、
前記接触を実施することは、前記回転部材から前記媒体シートを剥がすための、前記剥離爪の先端と前記回転部材との接触を、前記圧電アクチュエータに第１の電圧を印加することによって実施することを含み、
前記外すことは、前記圧電アクチュエータに第２の電圧を印加することによって、前記剥離爪の先端と前記回転部材との接触を外すことを含む、動作方法。
【請求項９】
請求項７に記載の動作方法であって、
前記外すことは、前記回転部材に付着している媒体シートが存在しない場合に前記先端と前記回転部材との接触を外すことを含む、動作方法。
【請求項１０】
印刷装置であって、
媒体シートを輸送するように構成された媒体経路と、
前記媒体シート上に画像を生成するように構成された画像生成モジュールと、
前記媒体シートに接触するように構成された回転部材と、
長手軸に沿って長辺を有するとともに長手方向の一端に先端を含む剥離爪であって、前記回転部材から前記媒体シートを剥がすように構成された剥離爪と、
前記剥離爪に結合された圧電アクチュエータと、
前記圧電アクチュエータに結合された電圧源と、を備え、前記電圧源は、前記剥離爪の先端と前記回転部材との接触を実施して前記回転部材から前記媒体シートを剥がすために、前記圧電アクチュエータに第１の電圧を印加するように構成され、かつ、前記剥離爪の先端と前記回転部材との接触を外すために前記圧電アクチュエータに第２の電圧を印加するように構成され、
前記電圧源は、前記剥離爪の先端が前記回転部材に接触する際の前記剥離爪の先端の前記回転部材に対する圧力を調整するために、前記圧電アクチュエータに印加する電圧を調整するように構成されている、印刷装置。
【手続補正２】
【補正対象書類名】明細書
【補正対象項目名】発明の名称
【補正方法】変更
【補正の内容】
【発明の名称】剥離装置とその動作方法および印刷装置
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
複写装置内でカラーレジストレーションおよびカラー濃度を制御することによって、トナーコストを節約する方法であって、
（ａ）電荷保持面を設けるステップと、
（ｂ）前記電荷保持面上に、画像を現像するトナーを設けるステップと、
（ｃ）前記電荷保持面上に、レジストレーション機能およびカラー濃度機能の両方に使用されるように、斜め成分を含むパッチを設けるステップと、
（ｄ）前記パッチにトナーを加えるステップと、
（ｅ）前記パッチ上の前記トナーを検知するセンサを設けるステップと、
（ｆ）前記センサからの信号を受けるコントローラを設けるステップと、
（ｇ）前記コントローラが、前記センサからの信号を用いて、カラーレジストレーションおよびカラー濃度をともに制御するステップと、を含む方法。
【請求項２】
前記パッチは、プロセス方向カラー・レジストレーション・パッチとして使用される部分を含む、請求項１に記載の方法。
【請求項３】
前記パッチは、プロセス方向カラー制御パッチとして使用される部分を含む、請求項２に記載の方法。
【請求項４】
カラー制御パッチをカラー・レジストレーション・パッチに合わせて較正するステップを含む、請求項１に記載の方法。
【請求項５】
前記カラー制御パッチを前記カラー・レジストレーション・パッチに合わせて較正するステップは、
前記センサのもとで、カラー制御パッチの所定のデジタル領域画線比率値にある原寸大のカラー制御パッチのそばを通るとともに、この結果を記録するステップと、
前記センサのもとで、狭い幅のカラー・レジストレーション・パッチのそばを通るステップと、
前記センサ応答をサンプリングして、この結果を記録するステップと、
プロセス制御が必要とする、各デジタル領域画線比率値に対してこれらの測定を繰り返すステップと、
積算値を用いてプロセス制御設定点を確立し、それによって前記原寸大のプロセス制御パッチに対する前記センサ応答と前記カラー・レジストレーション・パッチに対する前記センサ応答との間に、直接の相関関係を確立するステップと、
次いでこの較正曲線を用いて、前記レジストレーションパッチだけを描画するステップとを含む、請求項４に記載の方法。
【請求項６】
前記センサは、強化されたトナー領域画線比率センサである、請求項１に記載の方法。
【請求項７】
前記センサが取り替えられると、前記カラー制御パッチを前記カラー・レジストレーション・パッチに合わせて較正するステップを含む、請求項５に記載の方法。
【請求項８】
ベルトが取り替えられると、前記カラー制御パッチを前記カラー・レジストレーション・パッチに合わせて較正するステップを含む、請求項５に記載の方法。
【請求項９】
前記センサが変化する場合、前記カラー制御パッチを前記カラー・レジストレーション・パッチに合わせて較正するステップを含む、請求項５に記載の方法。
【請求項１０】
ピーク値を用いて、プロセス制御設定点を確立する、請求項５に記載の方法。
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
第１の赤の波長帯域の光、第１の緑の波長帯域の光、及び第１の青の波長帯域の光、を透過する左目用分光フィルターと、
第２の赤の波長帯域の光、第２の緑の波長帯域の光、及び第２の青の波長帯域の光、を透過する右目用分光フィルターと、
を具備する眼鏡により、
ｍ行ｎ列（ｍは１２以上の自然数、ｎは自然数）に配設された複数の画素を有する液晶表示装置での立体表示を視認する、液晶表示装置の駆動方法において、
１行目乃至ｋ行目（ｋは、ｍ／３以下の自然数）に配設された複数の画素に対して第１の色を呈する光の透過を制御するための画像信号を入力し
且つ（ｋ＋１）行目乃至２ｋ行目に配設された複数の画素に対して第２の色を呈する光の透過を制御するための画像信号を入力し
且つ（２ｋ＋１）行目乃至ｍ行目に配設された複数の画素に対して第３の色を呈する光の透過を制御するための画像信号を入力する期間では、
１行目乃至ｔ行目（ｔは、ｋ／Ｎ（Ｎは自然数）を満たす自然数）に配設された複数の画素に対して前記第１の色を呈する光の透過を制御するための画像信号が入力され
且つ（ｋ＋１）行目乃至（ｋ＋ｔ）行目に配設された複数の画素に対して前記第２の色を呈する光の透過を制御するための画像信号が入力され
且つ２ｋ＋１行目乃至２ｋ＋ｔ行目に配設された複数の画素に対して前記第３の色を呈する光の透過を制御するための画像信号が入力された後に、
前記１行目乃至ｔ行目に配設された複数の画素のそれぞれに対して前記第１の色を呈する光を照射し
且つ前記（ｋ＋１）行目乃至（ｋ＋ｔ）行目に配設された複数の画素のそれぞれに対して前記第２の色を呈する光を照射し
且つ前記（２ｋ＋１）行目乃至（２ｋ＋ｔ）行目に配設された複数の画素のそれぞれに対して前記第３の色を呈する光を照射し、
前記第１の色は、前記第１の赤の波長帯域の光または前記第２の赤の波長帯域の光であり、
前記第２の色は、前記第１の緑の波長帯域の光または前記第２の緑の波長帯域の光であり、
前記第３の色は、前記第１の青の波長帯域の光または前記第２の青の波長帯域の光であることを特徴とする液晶表示装置の駆動方法。
【請求項２】
請求項１において、
前記複数の画素はそれぞれ、トランジスタを有し、
前記トランジスタは、酸化物半導体を有することを特徴とする液晶表示装置の駆動方法。
【手続補正書】
【提出日】平成26年6月20日(2014.6.20)
【手続補正１】
【補正対象書類名】明細書
【補正対象項目名】発明の名称
【補正方法】変更
【補正の内容】
【発明の名称】液晶表示装置
【手続補正２】
【補正対象書類名】特許請求の範囲
【補正対象項目名】全文
【補正方法】変更
【補正の内容】
【特許請求の範囲】
【請求項１】
Ｘ行（Ｘは２以上の自然数）Ｙ列（Ｙは自然数）に配列された複数の表示回路と、前記複数の表示回路に重畳し、赤色発光ダイオード、緑色発光ダイオード、及び青色発光ダイオードを含む発光ダイオード群を複数備えるライトユニットと、を具備し、
表示選択信号のパルスに従って前記複数の表示回路のそれぞれに表示データ信号が入力され、
前記表示回路が前記表示データ信号のデータに応じた表示状態になることにより、右眼用画像及び左眼用画像を切り替えて表示し、
表示画像が前記左眼用画像のときに視認者の右眼への光の入射を遮断し、
前記表示画像が前記右眼用画像のときに視認者の左眼への光の入射を遮断し、
複数のフレーム期間毎に、前記表示回路に入力される表示データ信号のデータのそれぞれを、左眼用画像データ又は右眼用画像データに交互に切り替え、
前記フレーム期間毎に、前記複数の表示回路が１行以上の表示回路毎に分けられた複数のグループのそれぞれにおいて、各行の表示回路に前記表示選択信号のパルスをＺ回（Ｚは３以上の自然数）順次入力し、
Ｋ個目（Ｋは２以上の自然数）のフレーム期間に入力される表示データ信号のデータがＫ−１個目のフレーム期間に入力される表示データ信号のデータと同じ眼用のデータの場合、
前記Ｋ個目のフレーム期間に、前記各行の表示回路に前記表示選択信号のパルスを入力する毎に、前記複数の発光ダイオード群において発光ダイオードを順次発光させ、
前記ライトユニットを、前記複数の発光ダイオード群により設定される領域毎に順次点灯状態にし、
前記ライトユニットから、前記複数のグループ毎に異なる色であり、且つ前記表示選択信号のパルスを入力する毎に異なる色である光を、前記表示選択信号のパルスを入力した前記各行の表示回路に順次照射してカラーの画像を表示し、
Ｋ個目のフレーム期間に入力される表示データ信号のデータがＫ−１個目のフレーム期間に入力される表示データ信号のデータと異なる眼用のデータの場合、
前記Ｋ個目のフレーム期間において、黒の画像を表示することを特徴とする液晶表示装置。
【請求項２】
請求項１において、
前記Ｋ個目のフレーム期間に入力される画像データがＫ−１個目のフレーム期間と異なる眼用の画像データの場合、
前記Ｋ個目のフレーム期間において、黒の画像のデータを含む表示データ信号を表示回路に入力することを特徴とする液晶表示装置。
【請求項３】
請求項１又は請求項２において、
前記Ｋ個目のフレーム期間に入力される画像データがＫ−１個目のフレーム期間と異なる眼用の画像データの場合、
前記Ｋ個目のフレーム期間において、前記ライトユニットを消灯状態にすることを特徴とする液晶表示装置。
【請求項４】
請求項１乃至請求項３のいずれか一項において、
前記左眼用画像データ又は前記右眼用画像データを交互に切り替える毎に、前記ライトユニットを点灯させる際に、前記発光ダイオード群のうち、同時に発光させる発光ダイオードの色の数を１個と２個で交互に切り替えることを特徴とする液晶表示装置。
【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
各々が第１の光電変換部と、
第２の光電変換部と、
前記第１および第２の光電変換部の各々の電荷がそれぞれ出力される入力ノードの電位に基づく信号を、それぞれ出力する画素出力部と、
前記第１の光電変換部で生成された電荷を前記入力ノードに転送する第１の転送部と、を有する複数の単位画素と、
前記第２の光電変換部で生成された電荷に基づく前記画素出力部から出力された信号に基づいて前記第１の光電変換部の電荷蓄積動作を制御するモニタ部と、
を有することを特徴とする光電変換装置。
【請求項２】
前記モニタ部は、複数の前記単位画素から出力される信号の最大値と最小値との差分に基づいて前記第１の光電変換部の電荷蓄積動作を制御することを特徴とする請求項１に記載の光電変換装置。
【請求項３】
前記単位画素の各々は、前記画素出力部から出力された信号を増幅する信号出力部をさらに有することを特徴とする請求項１または２に記載の光電変換装置。
【請求項４】
前記信号出力部の各々は、前記画素出力部で生じるノイズを低減するノイズ低減回路をさらに有することを特徴とする請求項３に記載の光電変換装置。
【請求項５】
前記第１の光電変換部は、前記第２の光電変換部よりも受光面積が大きいことを特徴とする請求項１ないし４のいずれかに記載の光電変換装置。
【請求項６】
前記複数の単位画素の各々は、前記第２の光電変換部で生成された電荷を前記画素出力部に転送する第２の転送部をさらに有すること
を特徴とする請求項１ないし５のいずれかに記載の光電変換装置。
【請求項７】
請求項１ないし６のいずれかに記載の光電変換装置を有する焦点検出装置。
【請求項８】
請求項７に記載の焦点検出装置を備える撮像システム。
【手続補正２】
【補正対象書類名】明細書
【補正対象項目名】０００６
【補正方法】変更
【補正の内容】
【０００６】
上記目的を達成するための本発明は、各々が第１の光電変換部と、第２の光電変換部と、前記第１および第２の光電変換部の各々の電荷がそれぞれ出力される入力ノードの電位に基づく信号を、それぞれ出力する画素出力部と、前記第１の光電変換部で生成された電荷を前記入力ノードに転送する第１の転送部と、を有する複数の単位画素と、前記第２の光電変換部で生成された電荷に基づく前記画素出力部から出力された信号に基づいて前記第１の光電変換部の電荷蓄積動作を制御するモニタ部と、を有することを特徴とする光電変換装置である。
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
ソース線と、
ビット線と、
（ｍ＋１）（ｍは２以上の自然数）本のワード線と、
選択線と、
前記ソース線と前記ビット線との間に、直列に接続された第１乃至第ｍのメモリセルと、
ゲート端子が前記選択線と電気的に接続された選択トランジスタと、
を有し、
前記第１乃至第ｍのメモリセルはそれぞれ、
第１のゲート端子、第１のソース端子、及び第１のドレイン端子を有する第１のトランジスタと、
第２のゲート端子、第２のソース端子、及び第２のドレイン端子を有する第２のトランジスタと、
容量素子と、
を有し、
前記第２のトランジスタは酸化物半導体層を有し、
前記第２のトランジスタのチャネルは前記酸化物半導体層に形成され、
前記ソース線は前記選択トランジスタを介して第ｍのメモリセルの前記第１のソース端子と電気的に接続され、
前記ビット線は第１のメモリセルの前記第２のドレイン端子と電気的に接続され、且つ第１のメモリセルの前記第１のドレイン端子と電気的に接続され、
第ｋ（ｋは１以上ｍ以下の自然数）のワード線は、第ｋのメモリセルの前記第２のゲート端子と電気的に接続され、
第（ｋ＋１）のワード線は、第ｋのメモリセルの前記容量素子の端子の一方と電気的に接続され、
第ｊ（ｊは２以上ｍ以下の自然数）のメモリセルの前記第２のドレイン端子は、第（ｊ−１）のメモリセルの前記第１のゲート端子と、第（ｊ−１）のメモリセルの前記第２のソース端子と、第（ｊ−１）のメモリセルの前記容量素子の端子の他方と電気的に接続され、
第ｍのメモリセルの前記第１のゲート端子と、第ｍのメモリセルの前記第２のソース端子と、第ｍのメモリセルの前記容量素子の端子の他方とは電気的に接続され、
第ｊのメモリセルの前記第１のドレイン端子は、第（ｊ−１）のメモリセルの前記第１のソース端子と電気的に接続される半導体装置。
【請求項２】
請求項１において、
前記第１のトランジスタは、
絶縁表面上に形成され、酸化物半導体以外の半導体材料でなる半導体層に設けられたチャネル形成領域と、
前記チャネル形成領域を挟むように設けられた一対の不純物領域と、
前記チャネル形成領域と重なる第１のゲート絶縁層と、
前記第１のゲート絶縁層を挟んで前記チャネル形成領域と重畳するように設けたれた第１のゲート電極と、
前記一対の不純物領域の一方に電気的に接続される第１のソース電極と、前記一対の不純物領域の他方に電気的に接続される第１のドレイン電極と、を有し、
前記第１のゲート電極は前記第１のゲート端子となり、前記第１のソース電極は前記第１のソース端子となり、前記第１のドレイン電極は前記第１のドレイン端子となり、
前記第２のトランジスタは、
前記酸化物半導体層と電気的に接続される第２のソース電極及び第２のドレイン電極と、
第２のゲート絶縁層と、
前記第２のゲート絶縁層を挟んで前記酸化物半導体層と重畳するように設けられた第２のゲート電極と、を有し、
前記第２のソース電極は前記第２のソース端子となり、
前記第２のドレイン電極は前記第２のドレイン端子となり、
第ｊのメモリセルの前記第２のドレイン電極と、第（ｊ−１）のメモリセルの前記第２のソース電極と、第（ｊ−１）のメモリセルの前記容量素子の端子の他方とは、同一の導電層で形成される半導体装置。
【手続補正書】
【提出日】平成26年6月23日(2014.6.23)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ゲートが第１の信号線と電気的に接続し、ソース又はドレインの一方が第２の信号線と電気的に接続し、選択信号によって制御される、ｎチャネル型の第１のトランジスタと、
前記第１の信号線と前記第２の信号線との間の容量と、
前記第１のトランジスタのソース又はドレインの他方と電気的に接続され、前記第１のトランジスタを介して前記第２の信号線からの信号が入力される機能回路と、を有するセルがマトリクス状に配置されたセルアレイと、
ソース又はドレインの一方が前記第１の信号線と電気的に接続され、ソース又はドレインの他方が基準電位線と電気的に接続される第２のトランジスタと、
前記第１の信号線に電気的に接続されたダイオードと、を有し、
前記ダイオードを介して選択信号が前記第１の信号線に入力されることを特徴とする半導体装置。
【請求項２】
ゲートが第１の信号線と電気的に接続し、ソース又はドレインの一方が第２の信号線と電気的に接続し、選択信号によって制御される、ｎチャネル型の第１のトランジスタと、
前記第１の信号線と前記第２の信号線との間の容量と、
前記第１のトランジスタのソース又はドレインの他方と電気的に接続され、前記第１のトランジスタを介して前記第２の信号線からの信号が入力される機能回路と、を有するセルがマトリクス状に配置されたセルアレイと、
ソース又はドレインの一方が前記第１の信号線と電気的に接続され、ソース又はドレインの他方が基準電位線と電気的に接続される第２のトランジスタと、
ソース又はドレインの一方がゲートと電気的に接続され、ソース又はドレインの他方が前記第１の信号線と電気的に接続された第３のトランジスタと、を有し、
前記第３のトランジスタを介して選択信号が前記第１の信号線に入力されることを特徴とする半導体装置。
【請求項３】
請求項１又は請求項２において、
前記第１のトランジスタのチャネルが形成される半導体層は、酸化物半導体を含むことを特徴とする半導体装置。
【請求項４】
請求項１乃至請求項３のいずれか一において
前記第１のトランジスタのオフ状態における、チャネル幅１μｍあたりの電流が、ソースとドレイン間の電圧が３．５Ｖ、温度２５℃の条件下において、１００ｚＡ以下であることを特徴とする半導体装置。
【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
血液製剤から白血球を除去するためのフィルターであり、シート状のフィルター要素をその周縁部付近にて入口側容器及び出口側容器の少なくとも一方に固定されており、前記入口側容器及び前記出口側容器によって形成されるフィルター容器の内部空間が前記フィルター要素によって入口側空間と出口側空間とに仕切られている血液処理フィルターであって、前記入口側容器の一部または全部は蒸気透過性のある可撓性樹脂からなり、前記出口側容器の一部または全部は、前記入口側容器の可撓性樹脂からなる部分に比べて硬質の樹脂から作られている血液処理フィルター。
【請求項２】
前記入口側容器の１０％以上の面積が蒸気透過性のある可撓性樹脂から構成されている、請求項１に記載の血液処理フィルター。
【請求項３】
前記出口側容器の全部が、前記入口側容器の可撓性樹脂からなる部分に比べて硬質の樹脂から作られている、請求項１または２に記載の血液処理フィルター。
【請求項４】
前記出口側容器は、開口が形成されたシート部と、前記開口を塞ぐように前記シート部に接着されたカバー部とを有し、
前記カバー部が前記入口側容器の可撓性樹脂からなる部分に比べて硬質の樹脂から作られている、請求項１または２に記載の血液処理フィルター。
【請求項５】
前記出口側容器は、前記入口側容器の可撓性樹脂からなる部分に比べて硬質の樹脂から作られ開口が形成された部分と、前記開口を塞ぐように前記硬質の樹脂から作られた部分に接着されたシート部とを有する、請求項１または２に記載の血液処理フィルター。
【請求項６】
前記出口側容器の硬質の樹脂からなる部分は、室温でのヤング率１ＭＰａ以上の樹脂からなり、前記入口側容器の可撓性樹脂からなる部分は室温でのヤング率１ＭＰａ未満の樹脂からなる請求項１〜５のいずれか一項に記載の血液処理フィルター。
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
（Ａ）疎水性高分子、（Ｂ）親水性ユニットのみからなる高分子、および、（Ｃ）親水性ユニットと疎水性ユニットからなる共重合体高分子、の少なくとも３成分から構成され、
前記（Ｂ）のガラス転移点が９０℃以上であり、かつ、２０℃の純水に対する溶解度が１０ｇ／１００ｇ以上であり、
前記（Ｃ）のガラス転移点が９０℃以上であり、かつ、２０℃の純水に対する溶解度が１ｇ／１００ｇ以上であり、
前記（Ｂ）および（Ｃ）の存在比率は、５重量％以下であり、
前記（Ｃ）は、上面または下面に５重量％以上存在している、分離膜。
【請求項２】
前記分離膜の抱液率が１０重量％以上６００重量％以下、かつ、透水性が１５０ｍＬ／ｈｒ／ｍ２／ｍｍＨｇ以上、９００ｍＬ／ｈｒ／ｍ２／ｍｍＨｇ以下であることを特徴とする前記２に記載の分離膜。
【請求項３】
前記（Ａ）がポリスルホン系高分子であることを特徴とする請求項１または２に記載の分離膜。
【請求項４】
前記（Ｂ）がポリビニルピロリドンおよび／またはポリエチレングリコールであることを特徴とする請求項１〜３のいずれかに記載の分離膜。
【請求項５】
前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする請求項１〜４のいずれかに記載の分離膜。
【請求項６】
前記分離膜が血液浄化用途に用いられることを特徴とする請求項１〜５のいずれかに記載の分離膜。
【請求項７】
請求項１〜６のいずれかに記載の分離膜が内蔵されたことを特徴とする分離膜モジュール。
【請求項８】
（Ａ）疎水性高分子と、（Ｂ）親水性ユニットのみからなる高分子と、からなる分離膜に、（Ｃ）親水性ユニットと疎水性ユニットからなる共重合体高分子溶液、を接触させた後、高エネルギー線を照射することを特徴とする分離膜の製造方法。
【請求項９】
前記（Ｃ）の溶液を２０℃以上、６０℃以下で接触させることを特徴とする請求項８に記載の分離膜の製造方法。
【請求項１０】
前記（Ｃ）の溶液を、成形された分離膜の表面に接触させた後、前記分離膜の抱液率が１０重量％以上６００重量％以下となるまで除去する工程を有することを特徴とする請求項８または９に記載の分離膜の製造方法。
【請求項１１】
前記（Ａ）がポリスルホン系高分子であることを特徴とする請求項８〜１０のいずれかに記載の分離膜の製造方法。
【請求項１２】
前記（Ｂ）がポリビニルピロリドンおよび／またはポリエチレングリコールであることを特徴とする請求項８〜１１のいずれかに記載の分離膜の製造方法。
【請求項１３】
前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする請求項８〜１２のいずれかに記載の分離膜の製造方法。
【請求項１４】
請求項８〜１２のいずれかに記載の分離膜を内蔵することを特徴とする分離膜モジュールの製造方法。
【手続補正２】
【補正対象書類名】明細書
【補正対象項目名】０００８
【補正方法】変更
【補正の内容】
【０００８】
本発明者らは上記課題を達成するため鋭意検討を進めた結果、高い分離性能を維持したまま、血液適合性や、タンパク質や有機物の付着抑制、膜成分からの溶出物の低減が同時に達成される分離膜および、その分離膜モジュールは、下記の１〜１６の構成によって達成される。
１．（（Ａ）疎水性高分子、（Ｂ）親水性ユニットのみからなる高分子、および、（Ｃ）親水性ユニットと疎水性ユニットからなる共重合体高分子、の少なくとも３成分から構成され、
前記（Ｂ）のガラス転移点が９０℃以上であり、かつ、２０℃の純水に対する溶解度が１０ｇ／１００ｇ以上であり、
前記（Ｃ）のガラス転移点が９０℃以上であり、かつ、２０℃の純水に対する溶解度が１ｇ／１００ｇ以上であり、
前記（Ｂ）および（Ｃ）の存在比率は、５重量％以下であり、
前記（Ｃ）は、上面または下面に５重量％以上存在している、分離膜。
２．前記（Ａ）からなるフィルムに対して、前記（Ｃ）を水中で接触させた時の吸着量をＡｗ、アセトニトリル２０重量％混合水溶液中で接触させた時の吸着量をＡａとした場合、Ａａ／Ａｗが０．９５以下であることを特徴とする前記１に記載の分離膜。
３．前記（Ｂ）および（Ｃ）が、併せて分離膜全体の５重量％以下であり、（Ｃ）が、分離膜のいずれかの表面に５重量％以上存在することを特徴とする前記１または２に記載の分離膜。
４．前記分離膜の抱液率が１０重量％以上６００重量％以下かつ、透水性が１５０ｍＬ／ｈｒ／ｍ２／ｍｍＨｇ以上、９００ｍＬ／ｈｒ／ｍ２／ｍｍＨｇ以下であることを特徴とする前記１〜３のいずれかに記載の分離膜。
５．前記（Ａ）がポリスルホン系高分子であることを特徴とする前記１〜４のいずれかに記載の分離膜。
６．前記（Ｂ）がポリビニルピロリドンおよび／またはポリエチレングリコールであることを特徴とする前記１〜５のいずれかに記載の分離膜。
７．前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする前記１〜６のいずれかに記載の分離膜。
８．前記分離膜が血液浄化用途に用いられることを特徴とする前記１〜７のいずれかに記載の分離膜。
９．前記１〜８のいずれかに記載の分離膜が内蔵されたことを特徴とする分離膜モジュール。
１０．（Ａ）疎水性高分子と、（Ｂ）親水性ユニットのみからなる高分子と、からなる分離膜に、（Ｃ）親水性ユニットと疎水性ユニットからなる共重合体高分子溶液、を接触させた後、高エネルギー線を照射することを特徴とする分離膜の製造方法。
１１．前記（Ｃ）の溶液を２０℃以上、６０℃以下で接触させることを特徴とする前記１０に記載の分離膜の製造方法。
１２．前記（Ｃ）の溶液を、分離膜に接触させた後、前記分離膜の抱液率が１０重量％以上６００重量％以下となるまで除去する工程を有することを特徴とする前記１０または１１に記載の分離膜の製造方法。
１３．前記（Ａ）がポリスルホン系高分子であることを特徴とする前記１０〜１２のいずれかに記載の分離膜の製造方法。
１４．前記（Ｂ）がポリビニルピロリドンおよび／またはポリエチレングリコールであることを特徴とする前記１０〜１３のいずれかに記載の分離膜の製造方法。
１５．前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする前記１０〜１４のいずれかに記載の分離膜の製造方法。
１６．前記１０〜１５のいずれかに記載の分離膜を内蔵することを特徴とする分離膜モジュールの製造方法。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
α−ＮａＦｅＯ２型結晶構造を有するリチウム遷移金属複合酸化物の固溶体を含有するリチウム二次電池用活物質であって、前記固溶体が含有する金属元素の組成比率が、Ｌｉ１＋（ｘ／３）Ｃｏ１−ｘ−ｙ−ｚＮｉｙ／２Ｍｇｚ／２Ｍｎ（２ｘ／３）＋（ｙ／２）＋（ｚ／２）（ｘ＞０、ｙ＞０、ｚ＞０、ｘ＋ｙ＋ｚ＜１）を満たし、空間群Ｐ３１１２又は空間群Ｒ３−ｍに帰属可能なエックス線回折パターンを有し、エックス線回折測定による（００３）面と（１１４）面又は（１０４）面との回折ピークの強度比が、Ｉ（００３）／Ｉ（１１４）≧１．１５又はＩ（００３）／Ｉ（１０４）≧１．１５であることを特徴とするリチウム二次電池用活物質。
【請求項２】
前記リチウム遷移金属複合酸化物の固溶体が含有する金属元素の組成比率が、１／３＜ｘ＜２／３、０＜ｙ＜２／３、０＜ｚ＜０．３であることを特徴とする、請求項１に記載のリチウム二次電池用活物質。
【請求項３】
前記リチウム遷移金属複合酸化物の固溶体は、Ｌｉ［Ｌｉ１／３Ｍｎ２／３］Ｏ２、ＬｉＮｉ１／２Ｍｎ１／２Ｏ２、ＬｉＣｏＯ２及びＬｉＭｇ１／２Ｍｎ１／２Ｏ２の４つの成分の固溶体から構成されることを特徴とする請求項１又は２に記載のリチウム二次電池用活物質。
【請求項４】
前記リチウム遷移金属複合酸化物の固溶体は、構成されるそれぞれの元素の価数が、Ｌｉ１＋，Ｍｎ４＋，Ｎｉ２＋，Ｃｏ３＋，Ｍｇ２＋であることを特徴とする請求項１〜３のいずれか一項に記載のリチウム二次電池用活物質。
【請求項５】
９２０〜１０００℃の焼成温度で焼成されたものであることを特徴とする請求項１〜４のいずれか一項に記載のリチウム二次電池用活物質。
【請求項６】
前記リチウム遷移金属複合酸化物の固溶体は、共沈法を用いて製造されたものであることを特徴とする請求項１〜５のいずれか一項に記載のリチウム二次電池用活物質。
【請求項７】
請求項１〜６のいずれか一項に記載のリチウム二次電池用活物質を含有するリチウム二次電池用電極。
【請求項８】
請求項７に記載のリチウム二次電池用電極を備えたリチウム二次電池。
【請求項９】
充電時の正極の最大到達電位が４．３Ｖ（ｖｓ．Ｌｉ／Ｌｉ＋）以下である充電方法が採用される請求項８に記載のリチウム二次電池を製造するための製造方法であって、４．３Ｖ（ｖｓ．Ｌｉ／Ｌｉ＋）を超え４．８Ｖ（ｖｓ．Ｌｉ／Ｌｉ＋）以下の正極電位範囲に出現する、電位変化が比較的平坦な領域に少なくとも至る充電を行う工程を含むことを特徴とするリチウム二次電池の製造方法。